(57)【要約】【課題】本発明は、電池切れやスイッチの切り忘れ等を心配することなく何時でも何処ででも発光させることができ、しかも、環境に優しい、視覚的作用効果を強調した簡単な構成の発光機能付楽器を提供することをその課題とする。【解決手段】上記の課題を解決するために、請求項１に記載の発明は、移動通路を有する把持可能な容器と、前記移動通路内に移動可能に収納された移動体と、前記移動体が衝突することにより、起電力を発生する起電力発生手段と前記把持容器の外面に配置されるとともに、前記起電力発生部材から発生した起電力により発光する発光部材とを備えたことを特徴とする。【選択図】  図１
2004151176.tif 000002
【特許請求の範囲】
【請求項１】
移動通路を有する把持可能な容器と、
前記移動通路内に移動可能に収納された移動体と、
前記移動体が衝突することにより、起電力を発生する起電力発生部材と
前記把持容器に配置されるとともに、前記起電力発生部材から発生した起電力により発光する発光部材と、
を備えたことを特徴とする電子楽器。
【請求項２】
請求項１に記載の電子楽器において、
発音部材を備えたことを特徴とする電子楽器。
【請求項３】
請求項１または２に記載の電子楽器において、
整流回路部材を備えたことを特徴とする電子楽器。
【請求項４】
請求項１乃至３のいずれか１項に記載の電子楽器において、
無線を受信する無線受信部材と
前記無線受信部材によって制御されるスイッチ部材と
を備えたことを特徴とする電子楽器。
【請求項５】
請求項１乃至４のいずれか１項に記載の電子楽器において、
前記発光部材の発光強度を調整する発光強度調整部材を備えたことを特徴とする電子楽器。
【請求項６】
請求項１乃至５のいずれか１項に記載の電子楽器において、
光伝播部材を備えたことを特徴とする電子楽器。
【請求項７】
請求項１乃至６のいずれか１項に記載の電子楽器において、
前記把持可能な容器の形状は、ドーナッツ状となっていることを特徴とする電子楽器。
【請求項８】
請求項１乃至６のいずれか１項に記載の電子楽器において、
前記把持可能な容器の形状は、円柱状となっていることを特徴とする電子楽器。
【請求項９】
請求項１乃至６のいずれか１項に記載の電子楽器において、
前記把持可能な容器の形状は、マラカス状となっていることを特徴とする電子楽器。
【請求項１０】
請求項１乃至６のいずれか１項に記載の電子楽器において、
前記把持可能な容器の形状は、トライアングル状となっていることを特徴とする電子楽器。
【請求項１１】
請求項１乃至６のいずれか１項に記載の電子楽器において、
前記把持可能な容器の形状は、ドラム状となっていることを特徴とする電子楽器。
【請求項１２】
請求項１乃至６のいずれか１項に記載の電子楽器において、
前記把持可能な容器を複数個備え、前記把持可能な容器の形状は、シンバル状となっていることを特徴とする電子楽器。
【請求項１３】
請求項１乃至１２のいずれか１項に記載の電子楽器において、
前記発光部材は、発光ダイオードであることを特徴とする電子楽器。
【請求項１４】
請求項１乃至１３のいずれか１項に記載の電子楽器において、
前記起電力発生部材は、圧電素子であることを特徴とする電子楽器。
【発明の詳細な説明】
【０００１】
【発明の属する技術分野】
本発明は、パーティー用のアトラクション用具やスポーツ観戦の応援用具やカラオケの伴奏楽器や一般遊具などとして用いられる電子楽器や楽器玩具などに関するものである。
【０００２】
【従来の技術】
【特許文献１】特開平８−１８５１８５
【特許文献２】特開平１１−３０５７６５
従来から、カラオケ等に使用されるリズム楽器として、タンバリン、マラカス、などがある。タンバリンとしては、リング状把持部の一側部に複数の腕部を対向状に並設して、各腕部の先端に形成した軸受部の対向間隔内に、前記軸受部５とほぼ同一か、若しくはそれ以下の寸法の鈴板を複数枚遊装したことを特徴とする、特許文献１などが開示されている。また、電池を内蔵した発光機能付きマラカス特許文献２なども開示されている。
【０００３】
【発明が解決しようとする課題】
しかしながら、カラオケ等に使用される楽器は、音の発生のみでおもしろみにかけるという問題があった。また、発光機能を持たせた場合でも、電力として電池を用いる場合は、繰り返し使用した場合は電池の消耗により楽器が正しく動作しなくなる恐れがあるし、長期間放置した場合は電池が自然放電して使用できない状態が予測されるため、常に予備の電池を準備しておく必要があった。また、電池を電源とした場合は例え二次電池を使ったとしても、いずれは電池を廃棄する必要があり小さいながらも環境問題等を無視することはできなかった。
【０００４】
本発明は上記問題点を解消し、電池切れやスイッチの切り忘れ等を心配することなく何時でも何処ででも発光させることができ、しかも、環境に優しい、視覚的作用効果を強調した簡単な構成の発光機能付楽器を提供することをその課題とする。
【０００５】
【課題を解決するための手段】
本発明による電子楽器は、移動通路を有する把持可能な容器と、前記移動通路内に移動可能に収納された移動体と、前記移動体が衝突することにより起電力を発生する起電力発生部材と、前記把持容器に配置されるとともに、前記起電力発生部材から発生した起電力により発光する発光部材とを備えたことを特徴とする。
【０００６】
電子楽器はさらに、整流回路部材を備えたことを特徴とする。
【０００７】
前記電子楽器は、無線を受信する無線受信部材と、前記無線受信部材によって制御されるスイッチ部材とを備えることを特徴とする。
【０００８】
電子楽器は、前記発光部材の発光強度を調整する発光強度調整部材を備えたことを特徴とする。
【０００９】
電子楽器は、さらに光伝播部材を備えたことを特徴とする。
【００１０】
電子楽器の前記把持可能な容器の形状は、ドーナッツ状となっていることを特徴とする。
【００１１】
前記把持可能な容器の形状は、円柱状となっていることを特徴とする。
【００１２】
前記把持可能な容器の形状は、マラカス状となっていることを特徴とする。
【００１３】
前記把持可能な容器の形状は、トライアングル状となっていることを特徴とする。
【００１４】
前記把持可能な容器の形状は、ドラム状となっていることを特徴とする。
【００１５】
前記把持可能な容器を複数個備え、前記把持可能な容器の形状は、シンバル状となっていることを特徴とする。
【００１６】
前記発光部材は、発光ダイオードであることを特徴とする。
【００１７】
前記起電力発生部材は、圧電素子であることを特徴とする。
【００１８】
【発明の実施の形態】
−第１の実施形態−
以下、本発明による電子楽器の第１の実施形態について説明する。
【００１９】
図１は、第１実施形態の電子楽器の平面図を示したものである。図２は、第１実施形態の電子楽器平面図のＡ−Ｂ線における断面図を示したものである。
第１実施形態の電子楽器は、発光ユニット１０１、１０２、１０３、１０４と移動体７、８と、ドーナッツ状容器９とからなる。発光ユニット１０１は圧電素子１、２と、発光素子３、４と、回路ユニット５と、発光ユニットカバー６とからなる。また、発光ユニット１０２、１０３、１０４は、発光ユニット１０１と同様に構成されている。
【００２０】
圧電素子１、２は圧電性セラミックスや圧電性合成樹脂からなり、回路ユニット５に密着形成される。圧電性セラミックスの材料としては、チタン酸バリウムやチタン酸ジルコン酸鉛などが挙げられ、圧電性合成樹脂の素材としては、ポリフッ化ビニリデン、ポリフッ化ビニリデン系共重合体、シアン化ビニリデンなどが挙げられる。圧電素子と基板との密着手段としては、接着、溶射、塗布等が採用される。
【００２１】
発光素子３、４としてはＬＥＤなどの様々な色で発光する発光ダイオード等が選択される。
【００２２】
移動体７、８は球体状の金属、球体状の金属表面に樹脂を被せたもの、球体状の樹脂などの固体である。ドーナッツ状容器９は、樹脂や、木材などの固体であり、中空となっている。ドーナッツ状容器９は発光ユニット１０１〜１０４の位置が凹部になっており、発光ユニット１０１〜１０４を嵌め合わせることによって、ドーナッツ状容器９と発光ユニット１０１〜１０４が一体となる。
【００２３】
発光ユニット１０１は圧電素子１、２と、発光素子３、４と、回路ユニット５と、発光ユニットカバー６とからなる。発光ユニット１０２、１０３、１０４は発光ユニット１０１と同等のものであり、圧電素子と、発光素子と、回路ユニットと、発光ユニットカバーとから構成されている。
【００２４】
ドーナッツ状容器９は、人間の手によって掴まれることができ、音楽の演奏の際に上下左右に振ると、ドーナッツ状容器９内にある移動体７および８は、ドーナッツ状容器９内の内面や、発光ユニット１０１の側面にある圧電素子１ａまたは圧電素子１ｂや、発光ユニット１０２の側面にある圧電素子２ａまたは圧電素子２ｂや、発光ユニット１０３の側面にある圧電素子３ａまたは圧電素子３ｂや、発光ユニット１０４の側面にある圧電素子４ａまたは圧電素子４ｂに衝突しながら自由に移動する。移動体７および８がドーナッツ状容器９内の内面や、発光ユニット１０１、１０２、１０３、１０４の側面に衝突するときには、衝突音が発生する。この衝突音を演奏されている音楽の拍子に合わせることにより、タンバリンやマラカスなどの楽器と同様に拍子に合わせた音を発生する楽器とすることができる。
【００２５】
発光ユニット１０１、１０２、１０３、１０４の側面は圧電素子で形成されているため、発光ユニット１０１、１０２、１０３、１０４の側面に移動体７または８が衝突すると、当該側面である圧電素子に歪みが発生する。圧電素子１ａ、１ｂ、２ａ、２ｂ、３ａ、３ｂ、４ａ、４ｂに歪みが発生することにより、圧電効果により各圧電素子に電圧が発生する。図３は発光ユニット１０１内の圧電素子１ａ、回路ユニット５および発光素子３との電気的接続を模式的に表わした図面である。圧電素子１ａの表面に圧電効果により電圧Ｖが発生すると、回路ユニット５と圧電素子１ａの接続点５ａと接続点５ｂ間に電圧Ｖが発生することになる。導体５ｅおよび導体５ｆを伝わって電圧Ｖは発光素子３の接続点５ｃと接続点５ｄの電極間にかかるため、発光素子３が点灯する。すなわち、移動体７または８が発光ユニット１０１、１０２、１０３、１０４の側面にある圧電素子１ａ、１ｂ、２ａ、２ｂ、３ａ、３ｂ、４ａ、４ｂに衝突すると、衝突音が発生すると共に、発光ユニット１０１、１０２、１０３、１０４内の発光素子が発光する。したがって、演奏されている音楽の拍子に合わせて、衝突音と光が発生されることになり、楽器としてのおもしろさをより一層増すことができるようになる。
【００２６】
また、ドーナッツ状容器９に透明もしくは半透明な樹脂等を使用することにより、移動体７および８の動きを視認することが可能となり、楽器としてのおもしろさを増すことができる。この場合、移動体７および８の表面に蛍光材料等の発色材を塗布しておくとより一層はっきりと、移動体７および８の動きを視認することが可能となり、カラオケなどの際にはより一層楽器としてのおもしろさを増すことができるようになる。
【００２７】
また、発光ユニットの発光ユニットカバーに透明もしくは半透明な樹脂等を使用することにより、ＬＥＤの発光がより鮮明になるため、ドーナッツ状容器９を持って音楽に合わせて演奏している者や、周囲にいる者にとって音だけではなく視覚を通じても、楽器としてのおもしろさを増すことができる。
−第２の実施形態−
以下、本発明による電子楽器の第２の実施形態について説明する。
【００２８】
図４は、第２実施形態の電子楽器の斜視図を示したものである。図１と重複する部分には、同じ番号を付し説明を省略する。光ファイバー１０はドーナッツ状容器９の外面または内面に設けられたり、ドーナッツ状容器９と共に成形されたりして形成されている。
【００２９】
発光ユニット１０１に光ファイバー１０を接続し、移動体７または８が発光ユニット１０１の側面に衝突すると発光ユニット１０１内のＬＥＤが発光し、ＬＥＤから発光された光が光ファイバー１０の内部を伝わっていく。すなわち、ドーナッツ状容器９を振ると発光ユニット１０１内のＬＥＤのみならず、光ファイバー１０が発光し、ドーナッツ状容器９を持って音楽に合わせて演奏している者や、周囲にいる者にとって音だけではなく視覚を通じても、楽器としてのおもしろさをより一層増すことができる。
【００３０】
本実施形態では発光ユニット１０１について説明したが、他の発光ユニットについても光ファイバーを取り付けることや、発光ユニットの片側面にだけ光ファイバーを接続させるだけではなく、発光ユニットの両側面に光ファイバーを接続させる形態とすることも容易にできる。
−第３の実施形態−
以下、本発明による電子楽器の第３の実施形態について説明する。
【００３１】
図５は、第３実施形態の発光ユニットのブロック図を示したものである。図６は定電圧ダイオードＺＤ１とＺＤ２の電流対電圧特性を示す。図７は第３実施形態の電子楽器の側面図を示す。
【００３２】
本実施形態の電子楽器の発光ユニット１０５は、圧電素子２９と、発光素子１１ａ、１１ｂ、１１ｃと、定電圧ダイオードＺＤ１、ＺＤ２とから概略構成される。図６は定電圧ダイオードＺＤ１とＺＤ２の電流対電圧特性を示す。図６から定電圧ダイオードＺＤ１は、定電圧ダイオードＺＤ１の両端にかかる電圧が電圧Ｖ１に達するまでは、定電圧ダイオードＺＤ１には電流が殆ど流れないことがわかる。しかし、電圧Ｖ１を超えて大きくなると急激に、定電圧ダイオードＺＤ１に電流が流れることが分かる。同様に、定電圧ダイオードＺＤ２は、定電圧ダイオードＺＤ２の両端にかかる電圧が電圧Ｖ２に達するまでは、定電圧ダイオードＺＤ２には電流が殆ど流れないことがわかる。しかし、電圧Ｖ２を超えて大きくなると急激に、定電圧ダイオードＺＤ２に電流が流れることが分かる。
【００３３】
図５では、定電圧ダイオードＺＤ１、ＺＤ２が圧電素子２９に並列に接続されている。従って、圧電素子２９に発生した電圧がＶ１以下の場合には発光素子１１ａのみが発光する。圧電素子２９に発生した電圧がＶ１よりも大きくＶ２以下の場合には、発光素子１１ａおよび発光素子１１ｂのみが発光する。そして、圧電素子２９に発生した電圧がＶ２よりも大きい場合には発光素子１１ａ、発光素子１１ｂおよび発光素子１１ｃの全てが発光する。移動体７または８が圧電素子１１ｃに衝突するエネルギーが大きいほど、圧電素子２９に発生する電圧は大きくなる。すなわち、本実施形態にかかわる電子楽器を強く振って、移動体７または８が圧電素子２９に衝突するエネルギーが大きいと衝突音が大きくなるとともに、発光する発光素子の数が増える。また、本実施形態にかかわる電子楽器を弱く振って、移動体７または８が圧電素子２９に衝突するエネルギーが小さいと衝突音が小さくなり、発光する発光素子の数が減少する。
【００３４】
図７に発光素子１１ａ、１１ｂ、１１ｃの本実施形態における円筒状容器１３への取り付け位置を示す。発光素子１１ａ、１１ｂ、１１ｃには、それぞれ光ファイバー１２ａ、１２ｂ、１２ｃが接続されている。発光素子１１ａは円筒状容器１３の側面中央付近に備えられ、発光素子１１ｂは円筒状容器１３の側面中央から斜め方向にずれた箇所に備えられ、発光素子１１ｃは円筒状容器１３の側面中央から発光素子１１ｂと反対の斜め方向にずれた箇所に備えられている。発光素子１１ａ、１１ｂ、１１ｃがそれぞれ点灯すると、接続されている光ファイバー１２ａ、１２ｂ、１２ｃが発光し、円筒状容器１３全体が色鮮やかに発光したように見える。
【００３５】
このように、電子楽器を持って音楽に合わせて演奏している者や周囲にいる者にとって、音の強弱だけではなく視覚を通じても、その音の強弱をあらわすことができるので楽器としてのおもしろさを増すことができる。
【００３６】
本実施形態では、発光素子の数を３つとしたが、数に制限があるわけではなくより多くの発光素子とより多くの定電圧ダイオードを組合せることができ、衝突の強度をより多くの発光素子であらわすことができる。また発光素子の色および光ファイバーの色を複数種類使用することにより、カラフルに発光し、より視覚的に楽しむことができる電子楽器となる。
−第４の実施形態−
以下、本発明による電子楽器の第４の実施形態について説明する。
【００３７】
図８は、第４実施形態の発光ユニットのブロック図を示したものである。
【００３８】
発光ユニット１０６は、圧電素子６ａと発光素子１３と整流回路部１４とから構成される。整流回路１４はダイオードＤ１、Ｄ２、Ｄ３、Ｄ４とコンデンサＣ１から構成されている。この整流回路部１４により、圧電素子６ａに発生する交流電圧を整流し、発光素子１３を点灯させることができる。移動体が圧電素子６ａに衝突すると、圧電効果により圧電素子６ａには電圧が発生する。この際に圧電素子は移動体が衝突した一方向にのみ変形するのではなく、移動体が衝突した方向と逆方向にも反動により変形する。この往復運動を繰り返しながら静止状態にもどる。従って、移動体が圧電素子６ａの側面６ｂに衝突したときに、側面６ｂ面に正電圧が発生すれば、ダイオードＤ１、コンデンサＣ１、発光素子１３、ダイオードＤ４を介して電流が流れるので発光素子１３が点灯するとともに、発音部材３１から音が放音される。また反動で、側面６ｃ面に正電圧が発生すれば、ダイオードＤ３、コンデンサＣ１、発光素子１３、ダイオードＤ２を介して電流が流れるので発光素子１３が点灯するとともに、発音部材３１から音が放音される。このように整流回路部１４は、移動体の衝突によって圧電素子６ａが振動するときに発生する交流電圧を整流することにより、側面６ｂが正電圧になったときのみ発光素子１３を点灯させるのではなく、側面６ｃが正電圧になったときにも発光素子１３を点灯させることができるので、圧電素子６ａに発生する交流電圧を効率よく利用し発光素子１３を点灯させることができるようになる。
【００３９】
整流回路部１４としては、例えばモールドパッケージタイプの整流用ＩＣ回路が用いられ、この整流用ＩＣ回路の入出力端子に圧電素子６ａと発光素子１３とが直接に接続される。整流用ＩＣ回路としては、図８に示すように、整流効率が良好でかつ汎用品であるダイオードブリッジ回路が一般に使用される。なお、図３は回路の一例であり、これに限定するものではない。
【００４０】
さらに整流回路部１４には、コンデンサＣ１を内蔵ではなく付設しても良い。コンデンサＣ１を接続することにより、その充放電作用によって発光素子１３の点灯時間を長くさせることができる。
【００４１】
また、発音部材３１を設けることにより、移動体が圧電素子６ａに衝突する際に発生する衝突音だけでなく、発音部材３１からも音が放音されるため、聴覚的なおもしろみを増すことができる。
−第５の実施形態−
以下、本発明による電子楽器の第５の実施形態について説明する。
【００４２】
図９は、第５実施形態の電子楽器の平面図を示したものである。
【００４３】
本実施形態の電子楽器は、圧電素子１５、１６と、発光素子１７、１８と、回路ユニット１９、２０と、移動体２１と、円筒状容器２４と、光ファイバー２２、２３とからなる。
【００４４】
円筒状容器２４を長手方向に振ると、円筒状容器２４の内部に設けられた移動体２１が圧電素子１５または１６に衝突し、その際に衝突音を発生するとともに、前述してきた実施形態と同様に圧電素子１５または１６に発生した電圧により発光素子１７または１８が発光する。また、発光素子１７または１８から発光した光は光ファイバー２２、２３に伝わって円筒状容器２４の外部に光が照射される。
【００４５】
このように、円筒状容器２４を振ると発光素子１７、１８のみならず、光ファイバー２２、２３が発光し、円筒状容器９を持って音楽に合わせて演奏している者や、周囲にいる者にとって音だけではなく視覚を通じても、楽器としてのおもしろさをより一層増すことができる。
−第６の実施形態−
以下、本発明による電子楽器の第６の実施形態について説明する。
【００４６】
図１０は、第６実施形態の電子楽器の回路ブロックを示したものである。
【００４７】
第６実施形態の電子楽器の回路ブロックは、発光ユニット１０７と無線送信部ＲＦＴと制御部２５から概略構成される。発光ユニット１０７は無線受信部ＲＦＲ、スイッチ回路部ＳＷ、抵抗Ｒ、発光素子２７、圧電素子２６とから概略構成される。
【００４８】
制御部２５は、カラオケ装置などであり、演奏されている音楽の拍子情報が無線制御部ＲＦＴに通信線２８を介して伝送される。無線送信部ＲＦＴは、制御部２５から受け取った拍子情報をマイクロ波ＭＷにして無線受信部ＲＦＲに送信する。無線受信部ＲＦＲはいわゆる無線タグなどであり、無線受信部ＲＦＲ内部には電源を持たず、マイクロ波から受け取ったエネルギーに基づいて無線受信部ＲＦＲ内部の回路およびスイッチ回路ＳＷを動作させる。無線受信部ＲＦＲ内部はアンテナコイル、電源生成回路、コントロール回路およびＥＥＰＲＯＭ（図示せず）により構成されている。無線受信部ＲＦＲは、無線送信部ＲＦＴから送られた拍子データに基づき、制御信号ＣＮＴを介してスイッチ回路部ＳＷを開閉制御する。スイッチ回路部ＳＷにおいて、端子ＳＷ１が端子ＳＷ２と接続しているときには、圧電素子２６に発生する電圧は、端子ＳＷ１、端子ＳＷ２、抵抗Ｒを介して、発光素子２７を点灯させる。スイッチ回路部ＳＷにおいて、端子ＳＷ１が端子ＳＷ３と接続しているときには、圧電素子２６に発生する起電圧は、端子ＳＷ１、端子ＳＷ３を介して、発光素子２７を点灯させる。抵抗Ｒを介して、発光素子２７を点灯させる場合は、抵抗Ｒの値によって、電流値が制限されるため、抵抗Ｒを介さないで発光素子２７を点灯させる場合に比べて発光素子２７の輝度は低下する。
【００４９】
以上述べたように、制御部２５からの拍子情報に基づいて、圧電素子２６に発生する起電圧によって発光素子２７の輝度が変化することになる。したがって、電子楽器を拍子に合わせて動かした場合には発光素子２７は明るく輝き、リズムに合わせて電子楽器を動かしていることが、音だけではなく視覚によっても確認することができ、電子楽器としてのおもしろさをより一層増すことができるようになる。
【００５０】
以上の実施形態１〜６は、単独で実施するばかりではなく各実施形態を組み合わせた状態で実施することも可能である。
【００５１】
また、把持可能な容器の形状はマラカス形状、トライアングル形状、ドラム形状とすることも可能であり、いわゆる楽器、玩具としての任意の形状にすることが可能である。
【００５２】
さらに、把持可能な容器を複数個組み合わせ、把持可能な容器をシンバル状にすることも可能である。
【００５３】
【発明の効果】
この電子楽器によれば、発音部材を設けることにより、移動体が圧電素子に衝突する際に発生する衝突音だけでなく、発音部材からも音が放音されるため、聴覚的なおもしろみをより一層増すことができる。
【００５４】
この電子楽器によれば、移動体が圧電素子とぶつかり合う動きと、ぶつかった時の衝撃音を楽しむだけではなく、ぶつかり合った時に発光素子が発光するのでカラオケなどの遊びを一層楽しくすることができる。
【００５５】
この電子楽器によれば、電池の消耗や交換等を一切気にしないで遊ぶことができ、メンテナンスフリーの電子楽器を実現することができる。
【００５６】
この電子楽器によれば、演奏されている音楽の拍子に対応して、発光素子が強く発光し、また、弱く発光することによりカラオケなどの遊びをより一層楽しくすることができる。
【００５７】
また、この電子楽器に無線受信機能を持たせたため、外部から発光素子が強く発光し、また、弱く発光することを制御することにより、カラオケなどの遊びをより一層楽しくすることができる。
【図面の簡単な説明】
【図１】第１実施形態の電子楽器の平面図。
【図２】第１実施形態の電子楽器平面図のＡ−Ｂ線における断面図。
【図３】発光ユニット内の電気的接続を模式的に表わした図。
【図４】第２実施形態の電子楽器の斜視図。
【図５】第３実施形態の発光ユニットのブロック図。
【図６】定電圧ダイオードＺＤ１とＺＤ２の電流対電圧特性のグラフ。
【図７】第３実施形態の電子楽器の側面図。
【図８】第４実施形態の発光ユニットのブロック図。
【図９】第５実施形態の電子楽器の平面図。
【図１０】第６実施形態の電子楽器の回路ブロック
【符号の説明】
１ａ、１ｂ、２ａ、２ｂ、３ａ、３ｂ、４ａ、４ｂ：圧電素子
２９、６ａ、１９、２０、２６：圧電素子
３、４、１１ａ、１１ｂ、１１ｃ、１７、１８、２７：発光素子
５、１５、１６：回路ユニット
５ａ、５ｂ、５ｃ、５ｄ：接続点
５ｅ、５ｆ：導体
６：発光ユニットカバー
７、８、２１：移動体
９：ドーナッツ状容器
１０、１２ａ、１２ｂ、１２ｃ、２２、２３：光ファイバー
２４：円筒状容器
２５：制御部
３１：発音部材
１０１、１０２、１０３、１０４、１０５、１０６、１０７：発光ユニット
Ｖ１、Ｖ２：電圧
ＺＤ１、ＺＤ２：定電圧ダイオード
Ｄ１、Ｄ２、Ｄ３、Ｄ４：ダイオード
Ｃ１：コンデンサ
ＲＦＴ：無線送信部
ＲＦＲ：無線受信部
ＭＷ：マイクロ波
ＣＮＴ：制御信号
Ｒ：抵抗
【図１】
2004151176.tif 000003
【図２】
2004151176.tif 000004
【図３】
2004151176.tif 000005
【図４】
2004151176.tif 000006
【図５】
2004151176.tif 000007
【図６】
2004151176.tif 000008
【図７】
2004151176.tif 000009
【図８】
2004151176.tif 000010
【図９】
2004151176.tif 000011
【図１０】
2004151176.tif 000012